(57)【要約】【課題】従来の無影灯に比べて、無影灯のハンドル等を把持し位置および向きを操作しなければならない回数を減少させ、近年の歯科治療などに適合した無影灯を提供する。【解決手段】光軸の方向が異なる複数の光源２０１1および２０１2ならびに光源２０２1および２０２2を有する基板１１１ならびに１１２と、前記複数の光源からの光を集光する集光部材１０１、１０２と、を備える複数の光源ユニットと、各光源ユニットの前記複数の光源を選択的に切り換えて発光させることで、前記各集光光源ユニットからの光が交叉する交叉位置を変更させる切換部１３０と、有する無影灯１００を提供する【選択図】図１
2018117971.tif 000002
【特許請求の範囲】
【請求項１】
光軸の方向が異なる複数の光源を有する基板と、前記複数の光源からの光を集光する集光部材と、を備える複数の光源ユニットと、
各光源ユニットの前記複数の光源を選択的に切り換えて発光させることで、前記各光源ユニットからの光が交叉する交叉位置を変更させる切換部と、
を有する無影灯。
【請求項２】
前記各光源ユニットの前記複数の光源を選択的に切り換えることにより、前記交叉位置までの距離が変更可能な、請求項１に記載の無影灯。
【請求項３】
前記集光部材は凹面鏡である請求項１または２に記載の無影灯。
【請求項４】
前記複数のユニットそれぞれについて前記複数の光源の配置位置が異なる、請求項１から請求項３のいずれかに記載の無影灯。
【請求項５】
前記複数の光源のそれぞれはＬＥＤ発光体である、請求項１から請求項４のいずれかに記載の無影灯。
【請求項６】
前記複数の光源ユニットが備える集光部材が一体成型されている請求項１から請求項５のいずれかに記載の無影灯。
【請求項７】
前記切換部は、フットコントローラからの操作によって動作可能である請求項１から請求項６のいずれかに記載の無影灯。
【発明の詳細な説明】
【技術分野】
【０００１】
本発明は、無影灯に関し、特に歯科の治療の際などに口腔内などを照明可能とする無影灯に関する。
【背景技術】
【０００２】
図７は、従来の無影灯１０を備える歯科治療ユニットの一例を示す構成概略図である。図７に示される歯科治療ユニットは、治療椅子１、ワークテーブル２、スピットン３、術者用インスルツルメントホルダ４、アシスタントインスツルメントホルダ５、ハンドピース（インスツルメント）６、インスツルメントホース７、無影灯支持用アーム８、９、無影灯１０、フットペダル１１などを備えている。術者用インスツルメントホルダ４には、歯科治療において使用するエアータービン、マイクロエンジン、超音波スケーラ、マルチシリンジ等、種々のハンドピースが収納されている。
【０００３】
歯科治療の際には、術者は治療椅子１を上下動させ、また、治療椅子１の背もたれや枕を倒起動、傾斜動させ、患者を治療しやすい姿勢にして治療を行なう。このとき、術者は無影灯１０による照明の下、患者の口腔内について診察を行なったり上述のインスツルメントを含む治療具を必要であればフットペダル１１を介して制御しながら治療作業を行なったりする。
【０００４】
無影灯１０に用いられる光源としては、近年の半導体製造工程を用いて製造されるＬＥＤ（Ｌｉｇｈｔ  Ｅｍｉｔｔｉｎｇ  Ｄｉｏｄｅ）やＬＤ（Ｌａｓｅｒ  Ｄｉｏｄｅ）を含む発光体が無影灯１０の光源として使用がされてきている（例えば、特許文献１および特許文献２参照。）。ＬＥＤなどを使用することにより、光源を従来のクリプトンランプなどの白熱電球系の光源よりも点光源に近くすることができ、また、小型化されたレンズ等を装着することにより発光の広がりや発光の方向などの指向性をより精密に制御することができるようになってきた。このため、無影灯１０内の複数の位置に光源を配置して同時に発光させることにより無影照明の効果を高めることが可能となっている。
【先行技術文献】
【特許文献】
【０００５】
【特許文献１】特開２０１５−１５６２９５号公報
【特許文献２】特開２０１１−１０８５７５号公報
【発明の概要】
【発明が解決しようとする課題】
【０００６】
一方、インプラント（人工歯根）などの歯科治療手法の近年の進歩とともに、治療部位が歯の表面部から顎の骨内部までに至り広範囲となってきている。このため、術者が歯の表面から深くに位置する治療部位に達するまで切削などの作業を行なうことになる。作業部位が深くなるにつれ、歯の表面の切削により形成された開口の大きさ（例えば直径）に対する歯の表面より作業部位までの距離の比が増大し、無影灯１０の無影効果を高めるために複数の位置から照射される光の一部が作業部位に届かず影が生じてしまう頻度が増加し、無影灯１０の位置、光の照射方向を操作する回数が従来よりも増加してきている。このため、術者が治療作業を中断し、無影灯１０を把持し位置および向きを操作しなければならい回数が増加してきている。
【０００７】
本発明は、以上の情実に鑑みてなされたものであり、従来の無影灯に比べて、無影灯のハンドル等を把持し位置および向きを操作しなければならない回数を減少させ、近年の歯科治療などに適合した無影灯を提供することを、その目的とする。
【課題を解決するための手段】
【０００８】
上記課題を解決するために、請求項１の発明は、無影灯であって、光軸の方向が異なる複数の光源を有する基板と、前記複数の光源からの光を集光する集光部材と、を備える複数の光源ユニットと、各光源ユニットの前記複数の光源を選択的に切り換えて発光させることで、前記各集光光源ユニットからの光が交叉する交叉位置を変更させる切換部と、を有することを特徴とするものである。
【０００９】
請求項２の発明は、請求項１の発明において、前記各光源ユニットの前記複数の光源を選択的に切り換えることにより、前記無影灯から前記交叉位置までの距離が変更可能となることを特徴とするものである。
【００１０】
請求項３の発明は、請求項１または請求項２の発明において、前記集光部材が凹面鏡であることを特徴とするものである。
【００１１】
請求項４の発明は、請求項１から請求項３のいずれかの発明において、前記複数のユニットそれぞれについて前記複数の光源の配置位置が異なることを特徴とするものである。
【００１２】
請求項５の発明は、請求項１から請求項４のいずれかの発明において、前記複数の光源のそれぞれがＬＥＤ発光体であることを特徴とするものである。
【００１３】
請求項６の発明は、請求項１から請求項５のいずれかの発明において、前記複数の光源ユニットが備える集光部材が一体成形されていることを特徴とするものである。
【００１４】
請求項７の発明は、請求項１から請求項６のいずれかの発明において、前記切換部は、フットコントローラからの操作によって動作可能であることを特徴とするものである。
【発明の効果】
【００１５】
本発明によれば、無影灯を把持し位置および向きを操作しなければならない回数を減少させることができる。
【図面の簡単な説明】
【００１６】
【図１】本発明の一実施形態に係る無影灯の一実施例を説明するための要部概要図である。
【図２】図１のＩ−Ｉ断面線による断面図である。
【図３】図１の切換部により光源ユニットからの光が交叉する交叉位置が変更できることの説明図である。
【図４】図１の切換部により光源ユニットからの光が交叉する交叉位置が変更できることの説明図である。
【図５】本発明の別の実施形態に係る無影灯本体の断面図である。
【図６】本発明のさらに別の実施形態に係る無影灯本体の断面図である。
【図７】従来の無影灯を備える歯科治療ユニットの一使用形態を説明するための図である。
【発明を実施するための形態】
【００１７】
以下、図面を参照しながら、本発明の無影灯に係る好適な実施の形態について説明する。以下の説明において、異なる図面においても同じ符号を付した構成は同様のものであるとして、その説明を省略する場合がある。
【００１８】
（第１の実施形態）
図１は、本発明の一実施形態に係る無影灯を説明するための要部概要図であり、本発明の位置実施形態に係る無影灯本体を正面からみた図を含む。図２は、図１におけるＩ−Ｉ断面線における断面図である。
【００１９】
無影灯１００は、無影灯本体１２０と切換部１３０とを有する。無影灯本体１２０は、集光部材１０１、１０２、１０３および１０４を備えている。また、無影灯本体１２０を正面から見た形状は、例えば患者の口腔の開口形状が患者にとっての左右方向が上下方向よりも通常は長いという口蓋形状に合わせ、図１に向かって左右方向に長く上下方向に短い配置となるのが好ましい。当該配置としては、例えば横長の楕円上に各集光部材１０１、１０２、および１０４を配置することができる。例えば、集光部材１０１および１０２を楕円とその長軸とが交わる位置に配置し、集光部材１０３および１０４を楕円とその短軸とが交わる位置に配置することができる。
【００２０】
無影灯本体１２０は、図示されない無影灯ホルダによって背面または側方が支持されて、図７に示す無影灯支持用アーム８、９に接続される。無影灯ホルダには、ハンドルが備えられており、術者やアシスタントがハンドルを把持して操作することにより、無影灯本体１２０の位置や向きを変更することができる。
【００２１】
また、各集光部材１０１、１０２、１０３および１０４は、後述する光源からの光を無影灯本体１２０の前方（図２に向かって上方）の位置に集光することができるようになっている。このため、集光部材１０１、１０２、１０３および１０４それぞれが、例えば、後述するように放物面や回転楕円体面を有する凹面鏡となっている場合には、放物面や回転楕円体面の中心線（対称線）が交叉するようになっていることが好ましい。より具体的には、放物面にあっては、ｙ＝ｘ2のようにＹ軸に対称な放物線を回転させて放物面を得る場合は、Ｙ軸が中心線（対称線）となり、回転楕円体面にあっては、回転させる楕円の長径あるいは短径を含む直線が中心線（対称線）となる。
【００２２】
図１を参照すると、各集光部材１０１、１０２、１０３および１０４を跨ぐように、三脚のＹ字形のフレーム１１１、１１２、１１３および１１４がそれぞれ配置されている。例えばフレーム１１１は、三脚それぞれの端にフレーム脚部１１１1、１１１2および１１１3を有しており、フレーム脚部１１１1、１１１2および１１１3は、無影灯本体１２０に固定されている。他のフレーム１１２、１１３および１１４についても同様である。
【００２３】
図１の無影灯本体１２０のＩ−Ｉ断面線における断面図を示す図２を参照すると、無影灯本体１２０は、波状に屈曲された板状部材により形成されている。フレーム１１１および１１２それぞれは、フレーム脚部１１１3および１１２3それぞれを貫通する貫通部材２１１3および２１２3により無影灯本体１２０に取り付けられ固定されている。貫通部材２１１3および２１２3の一例としてネジがある。なお、図２には示されていない、フレーム１１１および１１２の他のフレーム脚部１１１1、１１１2、１１２1および１１２2ならびに他のフレーム１１３および１１４の他のフレーム脚部についても同様に、ネジなどの貫通部材により無影灯本体１２０に取り付けられ固定される。そこで、以後の説明では、フレーム１１１および１１２の他のフレーム脚部１１１1、１１１2、１１２1および１１２2ならびに他のフレーム１１３および１１４のフレーム脚部についての説明は省略する。
【００２４】
無影灯本体１２０の成形（成型）は、例えばアルミニウムなどの鏡面加工が可能な金属の板にプレス加工を行ない、波状に屈曲させて一体成形を行なうことができる。波状に屈曲することにより、集光部材１０１および１０２を凹形状にすることができる。また、集光部材１０１および１０２の凹形状の部分を鏡面加工することにより、集光部材１０１および１０２を凹面鏡とすることができる。凹面鏡の鏡面の形状としては、上述の放物面や、他には楕円体面、球面など、本発明の効果が奏されるように、任意に選択および設計することができる。図２には示されていないが、集光部材１０３および１０４においても同様に、凹面鏡とすることが可能である。また、集光部材１０１、１０２、１０３および１０４の鏡面形状は同一とすることもできるし、異なっていてもよい。
【００２５】
また、無影灯本体１２０の材質は、金属に限られるものではなく、プラスチックなどの樹脂材料により形成し、少なくとも集光部材１０１、１０２、１０３および１０４が配置される位置にアルミ蒸着などを行ない、鏡面加工をして集光部材１０１、１０２、１０３および１０４を得ることができる。
【００２６】
また、無影灯本体１２０は、一体形成される必要はなく、集光部材１０１、１０２、１０３および１０４と、各集光部材が配置される基材と、などから複数の部品により構成されていてもよい。
【００２７】
フレーム１１１のＹ字形の中央部（脚の交差点）には、基板２１１が配置され、基板２１１には、複数の光源２０１1および２０１2が配置されている。各光源２０１1および２０１2のそれぞれには、特定の方向に最も強い光を出射することができる光源が用いられる。例えば、各光源２０１1および２０１2には、ＬＥＤ素子から発光する光を特定の方向に最も強い光を出射する特性を有するＬＥＤ発光体を用いることができる。ＬＥＤ発光体に例えばレンズを備えることにより、ＬＥＤ発光体のＬＥＤ素子から発光する光をレンズにより特定の方向に最も強く出射することができる。
【００２８】
光源一般について、光源が最も強い光を出射する方向を、光源の「光軸の方向」ということにすると、図２に示すように同一基板２１１に配置されている光源２０１1および２０１2の光軸の方向は異なっている。例えば、基板２１１の法線方向に対する光源２０１1および２０１2それぞれの取付角を変えることにより、光源２０１1および２０１2の光軸の方向を異ならせることができる。また、基板２１１として法線方向が異なる複数の傾斜した面を有する基板を使用し、各傾斜した面に各光源２０１1および２０１2を取り付けることによっても、光源２０１1および２０１2の光軸の方向を異ならせることができる。
【００２９】
光源２０１1および２０１2の光軸の方向が異なっていても、光源２０１1および２０１2それぞれの光軸は、集光部材１０１の内側に向けられていることが好ましい。各光源２０１1および２０１2から照射される光は、光軸を中心に立体的に広がった後に、集光部材１０１に照射される。しかし、集光部材１０１は上述のように凹面鏡とし、反射面の形状および反射面に対する光源２０１1および２０１2の位置を設定することにより、集光部材１０１に照射され反射した光を、平行光としたり、集光部材１０１から離れた位置に向かって集まる光（収束光）としたりすることができる。
【００３０】
また、光源２０１1の光軸の方向と光源２０１2の光軸の方向とを比較すると、図２においては、光源２０１1の光軸の方向は、光源２０１2の光軸の方向よりも、無影灯本体１２０の辺部に向かうようになっている。言い換えると、光源２０１2の光源の方向は、光源２０１1の光軸の方向よりも、無影灯本体１２０の中央に向かうようになっている。このため、光源２０１1から出射された光は集光部材１０１の辺部側にて反射し、図２に向かって斜め右上方に向かう光となる。また、光源２０１2から出射された光は、集光部材１０１において、光源２０１1から出射された光が反射する位置よりも無影灯本体１２０の中央寄りの位置にて反射される。光源２０１2の光軸方向や集光部材１０１の形状を適宜設計することにより、光源２０１2から出射され集光部材１０１に反射した光も図２に向かって斜め右上方に向かう光とすることができる。このとき、光源２０１2から出射され集光部材１０１に反射した光の進行方向の傾きは、光源２０１1から出射され集光部材１０１に反射した光の進行方向の傾きよりも、図２に向かって垂直方向に近くなる（図２に向かって右方をｘ座標が正の向き、上方をｙ座標が正の向きとすると、光源２０１2から出射され集光部材１０１に反射した光の進行方向の傾きの値は、光源２０１1から出射され集光部材１０１に反射した光の進行方向の傾きの値よりも大きくなる）。
【００３１】
同様に、光源２０２1から出射された光は集光部材１０２の辺部側にて反射し、図２に向かって斜め左上方に向かう光となる。また、光源２０２2から出射された光は、集光部材１０２において、光源２０２1から出射された光が反射する位置よりも無影灯本体１２０の中央寄りの位置にて反射される。光源２０２2の光軸の方向や集光部１０２の形状を適宜設計することにより、光源２０２2から出射され集光部材１０２に反射した光も図２に向かって斜め左上方に向かう光とすることができる。このとき、光源２０２2から出射され集光部材１０２に反射した光の進行方向の傾きは、光源２０２1から出射され集光部材１０２に反射した光の進行方向よりも、図２に向かって垂直方向に近くなる（図２に向かって右方をｘ座標が正の向き、上方をｙ座標が正の向きとすると、光源２０１2から出射され集光部材１０１に反射した光の進行方向の傾きの絶対値は、光源２０１1から出射され集光部材１０１に反射した光の進行方向の傾きの絶対値よりも大きくなる）。
【００３２】
他の集光部材１０３および１０４に関しても同様の説明ができ、したがって、前述のように、各集光部材１０１、１０２、１０３および１０４から出射される光を、無影灯本体１２０の前方の位置で交叉させることが可能となる。そこで各集光部材１０１、１０２、１０３および１０４から出射される光が交叉する位置を交叉位置という。
【００３３】
また、交叉位置は、各集光部材１０１、１０２、１０３および１０４の形状、各光源２０１1、２０１2、２０２1、２０２2などの光軸の方向や各フレーム１１１、１１２、１１３および１１４の形状により、変化させることができる。また、各集光部材１０１、１０２、１０３および１０４の形状、各光源２０１1、２０１2、２０２1、２０２2などの光軸の方向や各フレーム１１１、１１２、１１３および１１４の形状が設計により定まっていても、各フレーム脚部と無影灯本体１２０とを固定するための貫通部材にネジを用いる場合には、各フレーム脚部と無影灯本体１２０との間にバネなどの弾性体を配置し、ネジの締め付け具合を調整することにより、交叉位置を微調整することができる。
【００３４】
以後において、集光部材１０１と基板２１１とをまとめ、「集光部材１０１と基板２１１とを備える光源ユニット」と称呼する。また、光源２０１1および２０１2を、光源ユニットの光源２０１1および２０１2と称呼する。また、フレーム１１１に配置されている基板２１１および基板２１１に配置されている光源２０１1および２０１2について説明したが、フレーム１１２に配置されている基板２１２および基板２１２に配置されている光源２０２1および２０２2についても同じ説明をすることができる。また、フレーム１１３および１１４それぞれについても、図２には示されていない基板が配置され、配置された基板それぞれには、光軸の方向が異なるように、複数の光源が配置されている。したがって、図１に示される無影灯本体１２０は、四つの光源ユニットを有することになる。
【００３５】
なお、本発明は、四つの光源ユニットに限定されるものではなく、二以上の任意の光源ユニットを用いて実施することができる。また、各光源ユニットの光源の数も任意の数とすることができる。
【００３６】
各光源を発光させるために、基板に配置された各光源に電力を供給する配線が、例えば、各フレームの脚の内部に配置され、各フレーム脚部１１１3、１１２3、１１３3および１１４3を通じて無影灯本体１２０の背面に集線されて、切換部１３０に接続される。切換部１３０は、各光源ユニットの複数の光源を選択的に切り換えて発光させる。例えば、集光部材１０１を備える光源ユニットは、光源として、光源２０１1および２０１2を有しているので、切換部１３０は、光源２０１1および２０１2のいずれかに電力を供給し発光させる。また、集光部材１０２を備える光源ユニットは、光源として、光源２０２1および２０２2を有しているので、切換部１３０は、光源２０２1および２０１2のいずれかに電力を供給して発光させる。集光部材１０３および１０４を備える光源ユニットそれぞれについても、切換部１３０は、同様に複数の光源のいずれかに電力を供給し光源を発光させる。
【００３７】
切換部１３０による各光源ユニットの複数の光源の発光の切換は、術者やアシスタントの切換部１３０に対する操作に基づいて、実行することができる。例えば、術者やアシスタントが切換部１３０のボタン等を操作することにより、切換が実行される。術者やアシスタントは直接、切換部１３０をボタン等により直接的に操作する必要はなく、例えば、歯科治療ユニットに接続されたフットペダル１１を介して切換部１３０を間接的に操作することができるようになっていてもよい。また、歯科治療ユニットにマイクが備わっており、術者やアシスタントの発話を認識して切換部１３０が操作されるようになっていてもよい。また、カメラなどにより術者やアシスタントのジェスチャ動作や作業の進行具合を撮影し、撮影画像を認識し、自動的に切換が実行されてもよい。
【００３８】
図３および図４は、切換部１３０による切換の操作を行なうことにより、交叉位置を変更することが可能であることを説明するための図である。まず、図３を参照すると、切換部１３０によって、図３に示される各光源ユニットの光源２０１1および２０２1がそれぞれ選択され、各集光部材１０１および１０２により集光された光３０１および３０２が無影灯本体１２０の前方にて交叉している。この交叉位置までの無影灯本体１２０からの距離をＬ1とし、光３０１および３０２が交叉する角度をθ1とする。
【００３９】
次に図４を参照すると、切換部１３０によって各光源ユニットの光源２０１2および２０２2がそれぞれ選択され、各集光部材１０１および１０２により集光された光４０１および４０２が無影灯本体１２０の前方にて交叉している。この交叉位置までの無影灯本体１２０からの距離をＬ2とし、光４０１および４０２が交叉する角度をθ2とする。
【００４０】
そうすると、上記に説明したような集光部材１０１および１０２が凹面鏡であること、各光源ユニットにおける光源２０１1、２０１2の光軸の方向が異なり、また、光源２０２1および２０２2の光軸の方向が異なることにより、Ｌ1およびＬ2は異なり、Ｌ1＜Ｌ2となり、また、θ1およびθ2は異なり、θ1＞θ2とすることができる。
【００４１】
Ｌ1＜Ｌ2であることにより、術者が例えば歯の表面を治療など作業する場合には、図３に示した光３０１および３０２の交叉が生ずるように切換部１３０を操作しておくことができ、また、治療が進行し、術者が歯の表面から深くに位置する部位を作業する状態となるときには、図４に示した光４０１および４０２の交叉が生ずるように切換部１３０を操作することにより、無影灯本体１２０の位置や向きを変えずに、適切に作業部位を照射することができる。したがって、無影灯を把持し位置および向きを操作しなければならない回数を減少させることができる。これにより、術者やアシスタントが無影灯１００に接触する回数を減らし、手に雑菌などが付着する可能性を低減できる。
【００４２】
また、作業部位が歯の表面から深くなるにつれ、歯の表面の切削により形成された開口の大きさに対する歯の表面より作業部位までの距離の比が大きくなっても、θ2＜θ1であることにより、奥深くの作業部位にまで十分な光を照射することが可能となる。
【００４３】
また、光の交叉位置における光のスポット径を変えることができる。すなわち、交叉位置までの無影灯本体１２０からの距離が、小さい場合（例えば図３）と、大きい場合（例えば図４）とを比較すると、交叉位置までの無影灯本体１２０からの距離が大きい場合の方が、小さい場合よりも光の交叉する領域の幅が小さくなるので、スポット径を小さくすることができる。したがって、奥深くの作業部位にまで十分な光を照射することが可能となる。
【００４４】
（第２の実施形態）
上記においては、光源２０１1、２０１2および光源２０２1、２０２2がそれぞれ同じ基板２１１および２１２に配置されて近接した状態に図示されている図２、図３および図４を用いて、第１の実施形態を説明した。本発明はこれに限定されるものではなく、光源２０１1および２０１2の距離を大きく設定することもできる。例えば光源２０１1および２０１2を異なる位置に配置し、光源２０１1および２０１2の距離を大きくすることによっても、切換部１３０により交叉位置を変更することができる。
【００４５】
また、例えば図５に示すように、光源２０１1および２０１2のそれぞれを異なる基板２１１1および２１１2に配置してもよい。この場合、光源２０１1および２０１2のそれぞれが基板２１１1および２１２2に対して同じ角度に取り付けられていても、フレーム１１１を曲げたり折ったりして形成することにより、光源２０１1および２０１2ならびに光源２０１1および２０１2の光軸の方向を異ならせ、切換部１３０により交叉位置を変更することができる。
【００４６】
（第３の実施形態）
第１および第２の実施形態においては、集光部材として光の反射を利用して光源からの光を集光する場合について説明した。ただし、本発明は、光の反射を利用することに限定されない。例えば、集光部材として光を屈折するレンズを用いて光源からの光を集光することも可能である。
【００４７】
図６は、本発明のさらに別の一実施形態に係る無影灯本体の断面図を示す。無影灯本体６２０は、集光部材１０１および１０２に対応する集光部材として、レンズ６０１および６０２を有する。レンズ６０１および６０２は、レンズの中心軸が無影灯本体６２０の前方にて交叉するように配置されている。また、無影灯本体６２０のレンズ６０１および６０２の後方には、マウント６１１および６１２が形成され、基板２１１および２１２が配置されている。基板２１１には、光源２０１1および２０１2が、光軸の方向が異なるように配置されている。また、基板２１２には、光源２０２1および２０２2、が光軸の方向が異なるように配置されている。
【００４８】
第１および第２の実施形態と同様に、レンズ６０１ならびに光源２０１1および２０１2を一つの光源ユニットとし、レンズ６０２ならびに光源２０２1および２０２2を別の一つの光源ユニットとし、また、さらに図示していないレンズならびに複数の光源をさらに別の光源ユニットとすることができる。そして、切換部１３０により各光源ユニットの複数の光源を選択的に切り換えて発光させることにより、各光源ユニットからの光が交叉する交叉位置を変更させることが可能となる。
【符号の説明】
【００４９】
１…治療椅子、２…ワークテーブル、３…スピットン、４…術者用インスツルメントホルダ、５…アシスタントインスツルメントホルダ、６…ハンドピース（インスツルメント）、７…インスツルメントホース、８、９…無影灯支持用アーム、１０無影灯、１１、フットペダル、１００…無影灯、１０１、１０２、１０３、１０４…集光部材、１１１、１１２、１１３、１１４…フレーム、１１１1、１１１2、１１１3、１１２1、１１２2、１１２3、１１３1、１１３2、１１３3、１１４1、１１４2、１１４3…フレーム脚部、１２０…無影灯本体、１３０…切換部、２０１1、２０１2、２０２1、２０２2…光源、２１１、２１２…基板、２１１3、２１２3…ネジ、３０１、３０２、４０１、４０２…光、２１１1、２１１2、２１２1、２１２2…基板、６２０…無影灯本体、６１１、６１２…マウント。
【図１】
2018117971.tif 000003
【図２】
2018117971.tif 000004
【図３】
2018117971.tif 000005
【図４】
2018117971.tif 000006
【図５】
2018117971.tif 000007
【図６】
2018117971.tif 000008
【図７】
2018117971.tif 000009